(57)【要約】【課題】移動端末の利便性を活かしつつ利用場所に応じて周辺に対する迷惑行為の発生を防止する移動端末制御システムを提供する。【解決手段】病院内や電車内などの所定の場所に対応付けられたマナーに関するマナー情報を前記所定の場所に向けて送信する情報制御装置３００及び情報送信装置１５０、２５０と携帯電話機１００に具備され、前記マナー情報を取得し、その携帯電話機１００の機能のうち上記マナー情報に応じた機能を携帯電話機１００に対して実行させる携帯電話機制御部１０８及び携帯電話機受信部１０７とを備える。【選択図】        図１
2004172673.tif 000002
【特許請求の範囲】
【請求項１】
所定の機能を有する移動端末を制御する移動端末制御システムであって、
所定の場所に対応付けられたマナーに関するマナー情報を前記所定の場所に向けて送信するマナー情報送信手段と、
前記移動端末に具備され、前記マナー情報を取得し、前記移動端末の機能のうち前記マナー情報に応じた機能を前記移動端末に対して実行させるマナー情報実行手段とを備える
ことを特徴とする移動端末制御システム。
【請求項２】
前記移動端末制御システムは、さらに、
複数の前記マナー情報を記憶し、前記複数のマナー情報の中からいずれかを選択し、前記マナー情報送信手段に送信する情報制御装置を備え、
前記マナー情報送信手段は、前記情報制御装置から取得した前記マナー情報を前記所定の場所に向けて送信する
ことを特徴とする請求項１記載の移動端末制御システム。
【請求項３】
前記移動端末制御システムは、さらに、
前記所定の場所に関する場所情報を前記所定の場所に向けて送信する場所情報送信手段を備え、
前記移動端末に具備され、前記場所情報を取得し、前記場所情報に応じた内容を表示する場所情報表示手段とを備える
ことを特徴とする請求項２記載の移動端末制御システム。
【請求項４】
前記情報制御装置は、
複数の前記場所情報を記憶し、前記複数の場所情報の中からいずれかを選択し、前記場所情報送信手段に送信する場所情報制御手段を備え、
前記場所情報送信手段は、前記場所情報制御手段から取得した前記場所情報を前記所定の場所に向けて送信する
ことを特徴とする請求項３記載の移動端末制御システム。
【請求項５】
前記情報制御装置は、さらに、
前記場所情報制御手段に新たな前記場所情報を登録する場所情報登録手段を備える
ことを特徴とする請求項４記載の移動端末制御システム。
【請求項６】
前記情報制御装置は、さらに、
新たなマナー情報を登録するマナー情報登録手段を備える
ことを特徴とする請求項２〜５のいずれか１項に記載の移動端末制御システム。
【請求項７】
前記マナー情報実行手段は、
前記マナーに関する内容を表示するマナー情報通知手段を備える
ことを特徴とする請求項１〜６のいずれか１項に記載の移動端末制御システム。
【請求項８】
前記マナー情報実行手段は、さらに、
音、振動及び文字のうち少なくとも１つにより前記マナー情報を受信したことを前記移動端末のユーザに通知する
ことを特徴とする請求項１〜７のいずれか１項に記載の移動端末制御システム。
【請求項９】
前記移動端末は、
携帯電話機、ＰＨＳ（Ｐｅｒｓｏｎａｌ  Ｈａｎｄｙｐｈｏｎｅ  Ｓｙｓｔｅｍ）及びＰＤＡ（Ｐｅｒｓｏｎａｌ  Ｄｉｇｉｔａｌ  Ａｓｉｓｔａｎｔｓ）のうちいずれか１つである
ことを特徴とする請求項１〜８のいずれか１項に記載の移動端末制御システム。
【請求項１０】
前記場所情報は、
前記所定の場所及び前記所定の場所の近くにおいて移動端末が通信可能である場所、ニュース、広告及びアンケートに関する内容のうち少なくとも１つに関する情報である
ことを特徴とする請求項９記載の移動端末制御システム。
【請求項１１】
前記移動端末の機能は、
音によるユーザへの着信の連絡、電子メールの送受信、バイブレーターによるユーザへの着信の連絡、通話、写真の撮影及びゲームのうち少なくとも１つである
ことを特徴とする請求項９及び１０のいずれか１項に記載の移動端末制御システム。
【請求項１２】
自らの位置に関する位置情報を取得する位置情報取得手段と、
前記位置情報に対応付けられたマナーに関する対応マナー情報を記憶する対応マナー情報記憶手段と、
前記位置情報取得手段から前記位置情報を取得し、前記位置情報に基づき前記対応マナー情報記憶手段から前記対応マナー情報を取得し、前記対応マナー情報に応じた機能を実行する対応マナー情報実行手段とを備える
ことを特徴とする移動端末。
【請求項１３】
前記移動端末は、さらに、
前記位置情報に対応付けられた自らの場所に関する対応場所情報を記憶する対応場所情報記憶手段と、
前記対応場所情報記憶手段から前記対応場所情報を取得し、前記対応場所情報に応じた内容を表示する対応場所情報表示手段とを備える
ことを特徴とする請求項１２記載の移動端末。
【請求項１４】
所定の機能を有する移動端末を制御する移動端末の制御方法であって、
所定の場所に対応付けられたマナーに関するマナー情報を前記所定の場所に向けて送信するマナー情報送信ステップと、
前記移動端末が前記所定の場所に入ったときには、前記移動端末の機能のうち前記マナー情報に応じた機能を前記移動端末に対して実行させるマナー情報実行ステップとを含む
ことを特徴とする移動端末の制御方法。
【請求項１５】
移動端末の動作方法であって、
自らの位置に関する位置情報を取得する位置情報取得ステップと、
前記位置情報に対応付けられたマナーに関する対応マナー情報を記憶する対応マナー情報記憶ステップと、
前記位置情報取得ステップにおいて取得した前記位置情報に基づいて、前記対応マナー情報記憶ステップから前記対応マナー情報を取得し、前記対応マナー情報に応じた機能を実行する対応マナー情報実行ステップとを含む
ことを特徴とする移動端末。
【請求項１６】
移動端末制御システムのためのプログラムであって、
請求項１〜１１のいずれか１項に記載のシステムにおける移動端末が備える手段として
コンピューターを機能させるプログラム。
【発明の詳細な説明】
【０００１】
【発明の属する技術分野】
本発明は、携帯電話機などの移動端末を制御する移動端末制御システム及び移動端末に関する。
【０００２】
【従来の技術】
近年、携帯電話機等の移動端末が普及している。
このような携帯電話機などの移動端末は、ユーザにより持ち出されて様々な場所で用いられるが、病院内や電車内などの特定の場所での携帯電話機の使用は、その使用によって発生する電磁波、会話音声、呼び出し音などにより、周辺の人々に対して迷惑をかけることがある。このような迷惑は、ユーザのモラルに委ねられている。
【０００３】
そこで、上記迷惑行為を防止するために、特定の施設には電磁シールドが施されている。これにより、その施設に持ち込まれた携帯電話機は、その電磁シールドによって発信及び着信ができなくなるのである。
【０００４】
また、特定の施設や場所に携帯電話機が持ち込まれると、発着信を禁止する携帯電話機が提案されている（例えば、特許文献１参照）。
この携帯電話機は、ＧＰＳ衛星からの位置を知らせる内容の位置情報を取得し、その位置情報に基づいて発着信を禁止する。
【０００５】
【特許文献１】
特開平１１−１８１５９号公報
【０００６】
【発明が解決しようとする課題】
しかしながら、施設に電磁シールドを施すことによって上記迷惑行為を防止すると、迷惑行為は防止される一方、携帯電話機の発信及び着信が禁止されるため、携帯電話機の利点である、いつでも、どこでも他人と連絡が取れるという利点が完全に失われてしまうといった問題がある。
【０００７】
また、場所によっては、携帯電話機の発信及び着信を禁止することまで要さず、場所に適した態様で携帯電話機の各機能を制限すれば足る場合がある。例えば、病院の中では、発信及び着信を禁止する必要があるが、映画館の中では、音の発生のみを禁止することで足りる。上記特許文献１に記載の携帯電話機では、場所に応じて発着信が禁止されてしまうため、施設によっては過剰に携帯電話機の利便性を制限してしまうといった問題がある。
【０００８】
そこで、本発明は、かかる問題点に鑑み、移動端末の利便性を活かしつつ利用場所に応じて周辺に対する迷惑行為の発生を防止する移動端末制御システムを提供することを目的とする。
【０００９】
【課題を解決するための手段】
上記目的を達成するために、本発明に関わる移動端末制御システムは所定の機能を有する移動端末を制御する移動端末制御システムであって、所定の場所に対応付けられたマナーに関するマナー情報を前記所定の場所に向けて送信するマナー情報送信手段と、前記移動端末に具備され、前記マナー情報を取得し、前記移動端末の機能のうち前記マナー情報に応じた機能を前記移動端末に対して実行させるマナー情報実行手段とを備えることを特徴とする。
【００１０】
また、本発明は、自らの位置に関する位置情報を取得する位置情報取得手段と、  前記位置情報に対応付けられたマナーに関する対応マナー情報を記憶する対応マナー情報記憶手段と、前記位置情報取得手段から前記位置情報を取得し、前記位置情報に基づき前記対応マナー情報記憶手段から前記対応マナー情報を取得し、前記対応マナー情報に応じた機能を実行する対応マナー情報実行手段とを備える
ことを特徴とする移動端末とすることもできる。
【００１１】
【発明の実施の形態】
（実施の形態１）
以下、本発明の第１の実施の形態における携帯電話システムについて、図面を参照しながら説明する。
【００１２】
図１は、本発明の本実施の形態における携帯電話システムの使用状況を示すシステム構成図である。
本実施の形態における携帯電話システムは、携帯電話機としての利便性を活かしつつ利用場所に応じて周辺に対する迷惑行為の発生を防止するものであって、携帯電話機１００と、その携帯電話機１００に対して上記迷惑行為となる動作を禁止させるように指示する情報制御装置３００と、携帯電話機１００と情報制御装置３００を媒介する情報送信装置１５０、２５０とを備えている。携帯電話機としての利便性を活かしつつ利用場所に応じて周辺に対する迷惑行為の発生を防止することは、情報送信装置２００、３００から携帯電話機１００の機能を制限するように指示する情報を送信することにより、実現される。例えば、図１に示すように、ユーザが携帯電話機１００を電車の中に持ち込んだ場合、携帯電話機１００は、情報制御装置３００から送信された情報を電車の中に設置された情報送信装置１５０を介して受信し、その情報に基づき携帯電話機１００の機能を制限し、電車の中における迷惑行為の発生を電車の中に応じた態様で防止させる。また、ユーザが携帯電話機１００を病院の中に持ち込んだ場合、携帯電話機１００は、情報制御装置３００から送信された情報を病院の中に設置された情報送信装置２５０を介して受信し、その情報に基づき携帯電話機１００の機能を制限し、病院の中における迷惑行為の発生を病院の中に応じた態様で防止させる。
【００１３】
図２は、携帯電話機１００と情報送信装置１５０、２５０と情報制御装置３００との内部構成を示すブロック図である。
携帯電話機１００は、電話回線を通じて他の電話機との通信をおこなう通信部１０１と、通話相手からの音声等を出力するスピーカ１０２と、電話番号を表示する液晶ディスプレイ等からなる携帯電話機表示部１０３と、携帯電話機１００全体を振動させる振動モーターを具備するバイブレーター部１０４と、ユーザの音声を集音するマイク１０５と、ユーザが電話番号等を入力するボタンを具備する携帯電話機操作部１０６と、情報送信装置１５０、２５０から送られてきた情報を受信する携帯電話機受信部１０７と、後述する携帯電話機１００の機能を制御する携帯電話機制御部１０８とを備えている。
【００１４】
携帯電話機制御部１０８は、通信部１０１から受信した情報に基づき、スピーカ１０２と、携帯電話機表示部１０３と、バイブレーター部１０４と、マイク１０５とを制御する。また、携帯電話機受信部１０７から受信した情報に基づき、スピーカ１０２と、携帯電話機表示部１０３と、バイブレーター部１０４と、マイク１０５とを制御し、マナーモードを実行し、携帯電話機表示部１０３にメッセージを表示させる。すなわち、携帯電話機制御部１０８と携帯電話機受信部１０７は、マナー情報実行手段を構成しており、携帯電話機制御部１０８と携帯電話機受信部１０７と携帯電話機表示部１０３は、場所情報表示手段を構成している。
【００１５】
情報送信装置１５０、２５０は、携帯電話機１００の機能を制限したい場所に設置されるものであり、情報送信装置３００から送信された情報をその場所にある携帯電話機１００に送信するものである。
【００１６】
上述した機能を実現させるために、情報送信装置１５０、２５０は、情報制御装置３００から送信された情報を受信する情報送信装置受信部１１５と、情報送信装置受信部１１５が受信した情報を携帯電話機１００に送信する情報送信装置送信部１１６とを備える。
【００１７】
情報制御装置３００は、携帯電話機１００の機能を制限させる内容（以下マナーモードとする）に関する情報と、携帯電話機表示部１０３に表示させるメッセージに関する情報とを情報送信装置１５０、２５０に送信するものである。また、情報制御装置３００は、携帯電話機１００に実効させるマナーモードについて複数のパターンを保持しており、情報送信装置１５０には、予め情報制御装置３００の管理者により情報送信装置１５０に送信するように選択されているマナーモードに関する情報を送信し、情報送信装置２５０には、予め情報制御装置３００の管理者により情報送信装置２５０に送信するように選択されているマナーモードに関する情報を送信する。同様に、情報制御装置３００は、携帯電話機１００の携帯電話機表示部１０３に表示させるメッセージについて複数のパターンを保持しており、情報送信装置１５０には、予め情報制御装置３００の管理者により情報送信装置１５０に送信するように選択されているメッセージに関する情報を送信する。情報送信装置１５０、２５０には、予め情報制御装置３００の管理者により情報送信装置２５０に送信するように選択されているメッセージに関する情報を送信する。すなわち、情報送信装置１５０、２５０は、場所情報送信手段とマナー情報送信手段を備えている。
【００１８】
上述した機能を実現させるために、情報制御装置３００は、情報制御装置３００の管理者により情報送信装置１５０、２５０に送信するように選択されているメッセージに関する情報や、マナーモードに関する情報を情報送信装置１５０、２５０に送信する情報制御装置送信部１０９と、メッセージや、マナーモードを登録するための情報制御装置操作部１１０と、情報制御装置表示部１１１と、後述する所定のデータを予め記憶するマナーモード記憶部１１３と、メッセージ記憶部１１４と、後述する上記各部を制御する情報制御装置制御部１１２とを備えている。
【００１９】
マナーモード記憶部１１３は、モードテーブル１１３ａを記憶する。このモードテーブル１１３ａには、複数のパターンのマナーモードが登録されている。
図３は、上述のモードテーブル１１３ａの内容を示すテーブル図である。
【００２０】
この図３に示すように、モードテーブル１１３ａでは、各マナーモードにおいて、携帯電話機１００の各機能を使用可能にするか、使用不可能にするかを示している。携帯電話機１００の各機能とは、メッセージを表示することや、バイブレーターにより着信を知らせることや、電子メールの受信をおこなうことや、電子メールの送信をおこなうことや、音により着信を知らせることや、通話等である。モードテーブル１１３ａには、マナーモード１からマナーモード６の複数のマナーモードが登録されている。例えば、マナーモード２には、「メッセージを表示することとバイブレーターにより着信を知らせることは、可能であり、電子メールの受信をおこなうことと電子メールの送信をおこなうことと音により着信を知らせることと通話は、不可能である。」といった内容が登録されている。ここで、モードテーブル１１３ａにおいて、○は、携帯電話１００の各機能を使用可能な状態にすることを示しており、×は、携帯電話１００の各機能を使用不可能な状態にすることを示している。
【００２１】
メッセージ記憶部１１４は、パターンテーブル１１４ａを記憶する。このパターンテーブル１１４ａには、複数のパターンのメッセージが登録されている。
図４は、上述のパターンテーブル１１４ａの内容を示すテーブル図である。
【００２２】
この図４に示すように、パターンテーブル１１４ａでは、各メッセージにおいて、携帯電話機表示部１０３に表示させる内容を示している。各メッセージは、現在の場所に関する内容と、近くの通話可能な場所に関する内容とを含む。例えば、メッセージ５には、「ここは、学校の中です。学校の外で通話できます。」といった内容が登録されている。
【００２３】
情報制御装置制御部１１２は、マナーモードに関する情報と、メッセージに関する情報とを、マナーモード記憶部１１３と、メッセージ記憶部１１４とから受信し、情報制御装置送信部１０９に送信し、情報送信装置１５０、２５０に送信させる。更に、情報制御装置制御部１１２は、マナーモード登録部１１２ａと、メッセージ登録部１１２ｂとを備える。マナーモード登録部１１２ａは、新たなマナーモードをマナーモード記憶部１１３に登録し、メッセージ登録部１１２ｂは、新たなメッセージをメッセージ記憶部１１４に登録する。すなわち、情報制御装置制御部１１２と情報制御装置送信部１０９とメッセージ記憶部１１４は、場所情報制御手段を構成している。
【００２４】
図５は、携帯電話システムの詳細な動作を示すフローチャートである。
特定の場所において、強制的におこなわれる携帯電話機１００の機能の制限は、情報送信装置３００が、モードテーブル１１３ａの中のマナーモードに関する情報とパターンテーブル１１４ａの中のメッセージに関する情報との送信をおこなうことと、携帯電話機１００が、情報送信装置１５０、２５０を介して、それらの情報を受信し、その情報に基づいて携帯電話機１００の制御をおこなうこととにより実現される。
【００２５】
まず、情報制御装置３００の管理者は、情報送信装置１５０、２５０に送信したいマナーモードをマナーモード記憶部１１３に記憶されたモードテーブル１１３ａの中から選択し、情報送信装置１５０、２５０に送信したいメッセージをメッセージ記憶部１１４に記憶されたパターンテーブル１１４ａの中から選択する。例えば、情報送信装置１５０、２５０の置かれた電車の中に居る人々に実行させたいマナーモードとその電車の中に居る人々に伝えたいメッセージがある場合、情報制御装置３００の管理者は、モードテーブル１１３ａの中からこの電車の中に居る人々に実行させたいマナーモードを選択し、パターンテーブル１１４ａの中からこの電車の中に居る人々に伝えたいメッセージを選択する（ステップＳ１０）。
【００２６】
情報制御装置制御部１１２は、選択されたマナーモードに関する情報と、選択されたメッセージに関する情報とを情報制御装置送信部１０９に送信する。情報制御装置送信部１０９は、この情報を受信し、情報送信装置１５０、２５０に送信する。そして、情報送信装置１５０、２５０は、情報送信装置受信部１１５により受信した情報を、情報送信装置送信部１１６により情報送信装置１５０、２５０の置かれた場所にある携帯電話機１００に送信し続ける。例えば、情報制御装置３００は、電車の中に居る人々の携帯電話機１００に送信したいマナーモードに関する情報とメッセージに関する情報とを、電車に置かれた情報送信装置１５０に送信する。そして、電車の中に置かれた情報送信装置１５０は、受信した情報を電車の中にある携帯電話機１００に送信し続ける。また、情報制御装置３００は、病院の中に居る人々の携帯電話機１００に送信したいマナーモードに関する情報とメッセージに関する情報を、病院に置かれた情報送信装置２５０に送信する。そして、病院の中に置かれた情報送信装置２５０は、受信した情報を病院の中にある携帯電話機１００に送信し続ける（ステップＳ１１）。
【００２７】
携帯電話機受信部１０８は、情報送信装置１５０、２５０から送信された情報を受信し、携帯電話機制御部１０８にこの情報を送信する（ステップＳ１２）。携帯電話機制御部１０８は、情報送信装置１５０、２５０から送信されたマナーモードに関する情報により、スピーカ部１０２、携帯電話機表示部１０３、バイブレーター部１０４、マイク１０５を制御し、選択されたマナーモードを実行する。また、実行されたマナーモードに関する情報を携帯電話機表示部１０３に表示する。例えば、携帯電話機１００が電車の中にある場合、携帯電話機１００は、電車に置かれた情報送信装置１５０から送信された情報に基づいてマナーモードを実行し、実行されたマナーモードによりどのような携帯電話機１００の機能が制限されたのかを携帯電話機表示部１０３に表示する。また、携帯電話機１００が病院の中にある場合、携帯電話機１００は、病院に置かれた情報送信装置２５０から送信された情報に基づいてマナーモードを実行し、実行されたマナーモードによりどのような携帯電話機１００の機能が制限されたのかを携帯電話機表示部１０３に表示する（ステップＳ１３）。
【００２８】
携帯電話機制御部１０８は、情報送信装置１５０、２５０から送信されたマナーモードに関する情報により、携帯電話機表示部１０３にメッセージを表示することが可能であるか判断する（ステップＳ１４）。
【００２９】
情報送信装置１５０、２５０から送信されたマナーモードに関する情報により、携帯電話機表示部１０３にメッセージを表示することが可能である場合、携帯電話機制御部１０８は、情報送信装置１５０、２５０から送信されたメッセージに関する情報により、携帯電話機表示部１０３にメッセージを表示させる。例えば、病院の中に置かれた情報送信装置２５０から送信されたマナーモードに関する情報により病院の中にある携帯電話機１００にメッセージを表示することが不可能である場合、この携帯電話機１００の携帯電話機表示部１０３にはメッセージは表示されない。また、電車の中に置かれた情報送信装置１５０から送信されたマナーモードに関する情報により電車の中にある携帯電話機１００にメッセージを表示することが可能である場合、この携帯電話機１００の携帯電話機表示部１０３には情報送信装置１５０から送信されたメッセージに関する情報によりメッセージが表示される（ステップＳ１５）。
【００３０】
ここで、実際に携帯電話機表示部１０３に表示されるメッセージを図６に示す。
図６は、携帯電話機１００が電車の中にある場合、携帯電話機表示部１０３に表示されるメッセージを示すものである。メッセージは、現在の場所に関するメッセージと、近くの通話可能な場所に関するメッセージと、現在選択されているマナーモードに関するメッセージとから構成される。この場合、「ここは、電車の中です。近くのデッキで通話できます。現在の携帯電話機の機能に関して、メッセージの表示と、電子メールの受信と、電子メールの送信と、バイブレーターによるユーザへの着信の連絡は使用可能であり、音によるユーザへの着信の連絡と、通話は使用不可能です。」といった内容が携帯電話機表示部１０３に表示される（図５のステップＳ１５）。
【００３１】
次に、新たなマナーモードと、新たなメッセージと、新たな対応テーブルの登録について説明する。
マナーモード登録部１１２ａは、新たなモードテーブル１１３ａを作成し、新たなモードテーブル１１３ａに関する情報をマナーモード記憶部１１３に送信する。新たなマナーモードの作成は、情報制御装置３００の管理者により、情報制御装置表示部１１１で作成経過を確認しつつ、情報制御装置操作部１１０を通じておこなわれる。例えば、新たなマナーモードとして、携帯電話機１００の電子メールの送受信をおこなうことと、バイブレーターによる着信の連絡をおこなうことと、メッセージの表示をおこなうこととを可能にし、音により着信の連絡をおこなうことと、通話とを不可能な状態にするマナーモードを作成したい場合、図３に示すように、モードテーブル１１３ａの「メッセージの表示」の欄を「○」にし、「バイブによる着信」の欄を「○」にし、「電子メールの受信」の欄を「○」にし、「電子メールの着信」の欄を「○」にし、「音による着信」の欄を「×」にし、「通話」の欄を「×」にする。上記操作により、新たなマナーモードとして、携帯電話１００の電子メールの送受信をおこなうことと、バイブレーターによる着信の連絡をおこなうことと、メッセージの表示おこなうこととを可能にし、音声により着信の連絡をおこなうことと、通話とを不可能な状態にするマナーモードが作成される。すなわち、マナーモード登録部１１２ａは、マナー情報登録手段を構成している。
【００３２】
メッセージ登録部１１２ｂは、新たなパターンテーブル１１４ａを作成し、新たなパターンテーブル１１４ａに関する情報をメッセージ記憶部１１４に送信する。新たなメッセージの作成は、情報制御装置３００の管理者により、情報制御装置表示部１１１で作成経過を確認しつつ、情報制御装置操作部１１０を通じておこなわれる。例えば、新たなメッセージとして、携帯電話機１００が電車の中にあるときには、「ここは、電車の中です。近くのデッキで通話できます。」と携帯電話機表示部１０３に表示させるようなメッセージを作成したい場合、図４に示すように、メッセージテーブル１１４ａの「現在の場所」の欄を「ここは、電車の中です。」とし、「近くの通話可能な場所」の欄を「近くのデッキで通話できます。」とする。上記操作により、新たなメッセージとして、携帯電話機１００が電車の中にあるときには、「ここは、電車の中です。近くのデッキで通話できます。」と携帯電話機表示部１０３に表示させるメッセージが作成される。すなわち、マナーモード登録部１１２ｂは、場所情報登録手段を構成している。
【００３３】
以上のように本実施の形態によれば、携帯電話システムは、情報制御装置３００により、特定の場所に置かれた情報制御装置１５０、２５０を介して、その場所にある携帯電話機１００に、その場所に適したマナーモードを実行させるので、その場所における迷惑行為の発生を防止することができ、また、その場所に適した態様で携帯電話機１００の利便性を活かすことができる。
【００３４】
また、情報送信装置１５０、２５０は、特定の場所において情報送信装置１５０、２５０が携帯電話機１００にその場所に応じたマナーモードを実行させる際、携帯電話機１００にその場所と実行中のマナーモードに関するメッセージを表示させるので、ユーザに、現在、どのような理由で、どのようなマナーモードが実行されており、どのような場所で通話できるのかを通知することが出来る。
【００３５】
さらに、情報制御装置３００の管理者は、モードテーブル１１３ａにおいてマナーモードを選択することにより、情報送信装置１５０、２５０の置かれた場所で携帯電話機１００に実行させたいその場所に適したマナーモードを、その場所の状況に応じて変化させることができる。例えば、情報制御装置３００の管理者は、情報送信装置１５０、２５０の置かれた場所において迷惑行為の発生を防止させるためには、その場所にある携帯電話機１００の電子メールの送信を禁止することが必要である、と考えていたが、実際には、その場所にある携帯電話機１００の電子メールの送信を許しても迷惑行為の発生は起こらないことがわかった。そのようなとき、情報制御装置３００の管理者は、モードテーブル１１３ａにあるマナーモードに関する情報を選択し情報送信装置１５０、２５０に送信することにより、その場所にある携帯電話機１００の電子メールの送信を可能にすることができる。
【００３６】
そしてまた、情報制御装置３００の管理者は、マナーモード登録部１１２ａにより、情報送信装置１５０、２５０の置かれた場所で携帯電話機１００に実行させたいその場所に適したマナーモードを新たに作成することができる。
【００３７】
また、情報制御装置３００の管理者は、パターンテーブル１１４ａにおいてメッセージを選択することにより、情報送信装置１５０、２５０の置かれた場所でユーザに伝えたいメッセージを、その場所の状況の変化に応じて変化させることができる。例えば、情報制御装置３００の管理者は、情報送信装置１５０、２５０の置かれた場所の近くで通話可能な場所が移動したことから、その場所にある携帯電話機１００に送信するメッセージの内容を変えなければならなくなった。そのようなとき、情報制御装置３００の管理者は、パターンテーブル１１４ａにおいてメッセージに関する情報を選択し、情報送信装置１５０、２５０にメッセージに関する情報を送信することにより、携帯電話機１００のユーザに、その変更した通話可能な場所を伝えることができる。
【００３８】
そしてまた、特定の場所に置かれた情報制御装置３００の管理者は、メッセージ登録部１１２ｂにより、その場所でユーザに伝えたいメッセージを新たに作成し、登録することができる。
【００３９】
尚、本実施の形態では、移動端末として携帯電話機１００を例示したが、移動端末であればそれに限定されず、ＰＨＳやＰＤＡ等でもよい。
また、情報送信装置１５０、２５０は、携帯電話機１００のユーザが、他の場所から情報送信装置１５０、２５０が置かれた特定の場所に移動し、初めて携帯電話機１００が情報送信装置１５０、２５０から情報を受信した際に、携帯電話機１００が情報を受信したことを、バイブレーター部１０４により携帯電話機１００を振動させることや、スピーカ１０２により音を鳴らすことにより携帯電話機１００のユーザに知らせてもよい。
【００４０】
また、本実施の形態では、特定の場所において情報送信装置１５０、２５０が携帯電話機１００に送信するメッセージに関し、場所に関するメッセージと、マナーモードに関するメッセージとを例示したが、メッセージであればそれに限定されず、ニュース、広告、アンケート等に関するメッセージを加えてもよい。
【００４１】
また、本実施の形態では、情報制御装置３００の管理者が使用可能であるか使用不可能であるかを選択できる携帯電話機１００の機能に関し、モードテーブル１１３ａにおいて、メッセージの受信、バイブレーターによる着信、電子メールの受信、電子メールの送信、音による着信、通話を例示したが、携帯電話機１００の機能であればそれに限定されず、ゲーム機能や、写真撮影機能、電源等を、選択できる携帯電話記１００の機能として加えてもよい。
【００４２】
また、本実施の形態では、モードテーブル１１３ａや、パターンテーブル１１４ａを新たに作成する際に、マナーモード登録部１１２ａや、メッセージ登録１１２ｂによる作成を例示したが、予めモードテーブル１１３ａや、パターンテーブル１１４ａを記憶しているフレキシブルディスクやＣＤ等の記憶媒体から、マナーモード記憶部１１３や、メッセージ記憶部１１４にモードテーブル１１３ａや、パターンテーブル１１４ａを記憶させることで、マナーモード記憶部１１３や、メッセージ記憶部１１４の中に新たなモードテーブル１１３ａや、パターンテーブル１１４ａを作成してもよい。
【００４３】
また、情報制御装置３００にあるマナーモード記憶部１１３と、メッセージ記憶部１１４と、情報制御装置制御部１１２とは、携帯電話機１００にあってもよい。
【００４４】
また、情報送信装置１５０、２５０は、情報制御装置３００にあってもよい。
また、情報送信装置１５０、２５０は、携帯電話機１００にあってもよい。
【００４５】
（実施の形態２）
以下、本発明の第２の実施の形態における携帯電話機について、図面を参照しながら説明する。
【００４６】
図７は、本発明の本実施の形態における携帯電話機の使用状況を示す使用状況説明図である。
本実施の形態の携帯電話機４００は、ＧＰＳ衛星５００から受信した電波に基づいて自らの位置を把握し、複数のパターンのマナーモードの中からその位置に応じたマナーモードを選択することで、周辺に対する迷惑行為の発生を防止する点に特徴がある。例えば、図８に示すように、ユーザが携帯電話機４００を映画館に持ち込んだ場合、携帯電話機４００は、ＧＰＳ衛星５００からの電波に基づき自らが映画館にあることを把握し、迷惑行為の発生をその映画館に応じた態様で防止する。
【００４７】
図８は、携帯電話機４００の構成を示すブロック図である。
携帯電話機４００は、図２のブロック図で示した携帯電話機１００と同一の機能を有する通信部４０１と、スピーカ部４０２と、表示部４０３と、バイブレーター部４０４と、マイク４０５と、操作部４０６と、マナーモード記憶部４０９とを備えており、更に、自らの位置に関する内容の位置情報をＧＰＳ衛星５００から取得する位置取得部４０７と、携帯電話機４００の各部を制御する制御部４０８と、後述するメッセージ記憶部４１０と、対応テーブル記憶部４１１とを備える。すなわち、記憶部を除く各部から対応マナー情報実行手段と対応場所情報実行手段は構成されている。
【００４８】
メッセージ記憶部４１０は、パターンテーブル４１０ａ、４１０ｂを記憶する。このパターンテーブル４１０ａは、携帯電話機４００に着信の無い場合に携帯電話機表示部４０３に表示される複数のパターンのメッセージを示すものである。また、パターンテーブル４１０ｂは、携帯電話機に着信のあった場合に表示部４０３に表示される複数のパターンのメッセージを示すものである。
【００４９】
図９は、上述のパターンテーブル４１０ａ、４１０ｂの内容を示すテーブル図である。
この図９に示すように、パターンテーブル４１０ａ、４１０ｂは、各メッセージにおいて表示部４０３に表示させる内容を示している。パターンテーブル４１０ａは、現在の場所に関する内容と、通話可能な近くの場所に関する内容とを含み、パターンテーブル４１０ｂは、着信相手に送りたいメッセージに関する内容を含む。例えば、メッセージ３には、「ここは、学校の中です。学校の外で通話できます。」「返答メッセージ：後でかけ直します。Ｐｕｓｈボタン１後で電話して下さい。Ｐｕｓｈボタン２」といった内容が登録されている。
【００５０】
対応テーブル記憶部４１１は、対応テーブル４１１ａを記憶する。この対応テーブル４１１ａには、ＧＰＳ衛星５００から取得した位置情報に含まれる位置座標と、マナーモード記憶部４０９に記憶されているモードテーブル４０９ａにあるマナーモードと、メッセージ記憶部４１０に記憶されているパターンテーブル４１０ａにあるメッセージとの対応関係が記憶されている。
【００５１】
図１０は、上述の対応テーブル４１１ａの内容を示すテーブル図である。
この図１０に示すように、対応テーブル４１１ａは、各位置座標において、携帯電話機４００に実行させるマナーモードと、表示部４０３に表示させるメッセージとを示している。例えば、「（１．００、１．００）という位置座標では、マナーモード１を実行し、メッセージ１を表示部４０３に表示する。」といった内容が登録されている。すなわち、マナーモード記憶部４０９と対応テーブル記憶部４１１は、マナー情報記憶手段を構成していおり、メッセージ記憶部４１０と対応テーブル記憶部４１１は、場所情報記憶手段を構成していいる
制御部４０８は、通信部４０１から受信した情報に基づき、スピーカ４０２と、表示部４０３と、バイブレーター部４０４と、マイク４０５とを制御する。また、位置情報取得部４０７から受信した位置情報と、マナーモード記憶部４０９に記憶されているモードテーブル４０９ａと、対応テーブル記憶部４１１に記憶されている対応テーブル４１１ａに基づいて、スピーカ４０２と、表示部４０３と、バイブレーター部４０４と、マイク４０５とを制御することでマナーモードを実行する。そして、位置情報取得部４０７から受信した位置情報と、メッセージ記憶部４１０に記憶されている４１０ａと、対応テーブル記憶部４１１に記憶されている対応テーブル４１１ａに基づいて、表示部４０３を制御することでメッセージを表示させる。更に、制御部４０８は、マナーモード登録部４０８ａと、メッセージ登録部４０８ｂ、対応テーブル登録部４０８ｃとを備える。マナーモード登録部４０８ａは、新たなマナーモードをマナーモード記憶部４０９に登録し、メッセージ登録部４０８ｂは、新たなメッセージをメッセージ記憶部４１０に登録し、対応テーブル登録部４０８ｃは、新たな対応テーブル４１１ａを対応テーブル記憶部４１１に登録する。
【００５２】
図１１は、携帯電話機４００の動作を示すフローチャートである。
携帯電話機４００の位置の変化に応じておこなわれる携帯電話機４００の機能選択は、位置情報取得部４０７から取得した位置情報と、対応テーブル記憶部４１１に記憶されている対応テーブル４１１ａとに基づき、制御部４０８が、スピーカ部４０２と、表示部４０３と、バイブレーター部４０４と、マイク４０５と、操作部４０６等との制御をおこなうことにより実現される。
【００５３】
まず、位置情報取得部４０７は、ＧＰＳ衛星５００から携帯電話機４００の位置情報を取得する。例えば、携帯電話機４００が映画館にある場合、位置情報取得部４０７は、「位置座標は（１．００、２．００）」といった内容の位置情報をＧＰＳ衛星５００から取得する（ステップＳ２０）。
【００５４】
制御部４０８は、対応テーブル記憶部４１１に記憶されている対応テーブル４１１ａと、位置情報取得部４０７から取得した位置情報に基づき、マナーモード記憶部４０９のモードテーブル４０９ａにおいてマナーモードを選択する。そして、その選択されたマナーモードに基づき、スピーカ部４０２と、表示部４０３と、バイブレーター部４０４と、マイク４０５とを制御し、マナーモードを実行する。また、実行されたマナーモードに関する情報を表示部に４０３に表示する。例えば、携帯電話機４００が映画館にある場合、対応テーブル４１１ａから、（１．００、２．００）という位置座標では、マナーモード２を実行するように登録されているので、制御部４０８は、マナーモード記憶部４０９のモードテーブル４０９ａにおいてマナーモード２を選択し、実行する。また、実行されたマナーモードにより、どのような携帯電話機４００の機能が制限されたのかを表示部４０３に表示する（ステップＳ２１）。
【００５５】
制御部４０８は、選択されたマナーモードにより、表示部４０３にメッセージを表示することが可能であるか判断する（ステップＳ２２）。
選択されたマナーモードが表示部４０３にメッセージを表示することを許す場合、制御部４０８は、対応テーブル記憶部４１１に記憶されている対応テーブル４１１ａと、位置情報取得部４０７から取得した位置情報とに基づき、メッセージ記憶部４１０のパターンテーブル４１０ａにおいてメッセージを選択し、メッセージに関する情報を表示部４０３に送信し、選択されたメッセージを表示させる。例えば、携帯電話機４００が映画館にある場合、対応テーブル４１１ａから、（１．００、２．００）という位置座標では、メッセージ２を選択するように登録されているので、制御部４０８は、メッセージ記憶部４１０のパターンテーブル４１０ａにおいてメッセージ２を選択し、表示部４０３に表示させる（ステップＳ２３）。
【００５６】
携帯電話機４００は、携帯電話機４００が選択されたマナーモードを実行し、選択されたメッセージを表示しているときに、携帯電話機４００に着信があったか判断する（ステップＳ２４）。
【００５７】
携帯電話機４００が選択されたマナーモードを実行し、選択されたメッセージを表示しているときに、携帯電話機４００に着信があった場合、制御部４０８は、対応テーブル記憶部４１１に記憶されている対応テーブル４１１ａと、位置情報取得部４０７から取得した位置情報とに基づき、メッセージ記憶部４１０のパターンテーブル４１０ｂにおいてメッセージを選択し、メッセージに関する情報を表示部４０３に送信し、選択されたメッセージを表示させる。そして、携帯電話機４００のユーザが、着信相手に伝えたいメッセージがある場合、表示部４０３に表示されているメッセージに従い、操作部４０６により、メッセージを選択し、着信相手に送信する。例えば、携帯電話機４００が映画館にあり携帯電話機４００に着信があった場合、対応テーブル４１１ａから、（１．００、２．００）という位置座標では、メッセージ２を選択するように登録されているので、制御部４０８は、メッセージ記憶部４１０のパターンテーブル４１０ｂにおいてメッセージ２を選択し、表示部４０３に表示させる。そして、携帯電話機４００のユーザが、着信相手に「後でメールします。」という内容のメッセージを伝えたい場合、表示部４０３に表示されている指示に従い、操作部４０６のボタン１を押し、着信相手にメッセージを伝える（ステップＳ２５）。
【００５８】
ここで、表示部４０３に表示されるメッセージを図１２に示す。
図１２（ｃ）は、会社の中に居て、着信のない場合に表示部４０３に表示されるメッセージを示すものである。メッセージは、現在の場所に関するメッセージと、近くの通話可能な場所に関するメッセージと、現在選択されているマナーモードに関するメッセージから構成され、この場合、「ここは、会社の中です。近くのデッキで通話できます。現在使用可能な携帯電話機の機能は、メッセージの表示と、電子メールの受信と、バイブレーターによる着信の連絡とは可能であり、電子メールの送信と、音による着信の連絡と、通話は不可能。」と表示部４０３に表示される。
【００５９】
図１２（ｄ）は、０９０−００００−１１１１という電話番号を持つ電話から着信があった場合のメッセージを示すものである。メッセージは、着信相手の番号に関するメッセージと、着信相手に送りたい内容に関するメッセージとから構成され、この場合、「０９０−００００−１１１１から着信がありました。返答メッセージ：しばらく、お待ち下さい。Ｐｕｓｈボタン１  今は、仕事中です。Ｐｕｓｈボタン２」。と表示部４０３に表示される。
【００６０】
図１２（ｅ）は、電話の着信相手にメッセージを送信したときに表示されるメッセージを示すものである。この場合、着信相手へのメッセージの送信が無事おこなわれたことを示す、「選択されたメッセージで返答しました。」が表示部４０３に表示される。
【００６１】
次に、新たなマナーモードと、新たなメッセージと、新たな対応テーブルの登録について説明する。
マナーモード登録部４０８ａは、新たなモードテーブル４０９ａを作成し、新たなモードテーブル４０９ａに関する情報をマナーモード記憶部４０９に送信する。新たなマナーモードの登録については、図２のブロック図で示したマナーモード登録部３１３ａと同一の機能を有す。
【００６２】
メッセージ登録部４０８ｂは、新たなパターンテーブル４１０ａを作成し、新たなパターンテーブル４１０ａに関する情報をメッセージ記憶部４１０に送信する。新たなメッセージの作成は、携帯電話機４００のユーザにより表示部４０３で作成経過を確認しつつ、操作部４０６を通じておこなわれる。例えば、新たなメッセージとして、携帯電話機４００が会社の中にあり携帯電話機４００に着信のない場合、図１０に示すように、「ここは、会社の中です。会社の外で通話できます。」と表示部４０３に表示させ、携帯電話機４００に着信のあった場合、「返答メッセージ：しばらくお待ち下さい。Ｐｕｓｈボタン１今は仕事中です。Ｐｕｓｈボタン２」と表示部４０３に表示させるようなメッセージを作成したい場合、図１０に示すように、メッセージテーブル４１０ａの「現在の場所」の欄を「ここは、会社の中です。」とし、「近くの通話可能な場所」の欄を「近くの廊下で通話できます。」とする。また、メーセージテーブル４１０ｂの「返答メッセージ」の欄を「しばらくお待ち下さい。Ｐｕｓｈボタン１今は仕事中です。Ｐｕｓｈボタン２」とする。上記操作により、新たなメッセージとして、携帯電話機４００が会社の中にあり着信のないときには、「ここは、会社の中です。近くの廊下で通話できます。」と表示部４０３に表示させ、携帯電話機４００が会社の中にあり着信のあったときには、「返答メッセージ：しばらくお待ち下さい。Ｐｕｓｈボタン１今は仕事中です。Ｐｕｓｈボタン２」と表示部４０３に表示させるメッセージが作成される。
【００６３】
対応テーブル登録部４０８ｃは、新たな対応テーブル４１１ａを作成し、新たな対応テーブル４１１ａに関する情報を対応テーブル記憶部４１１に送信する。新たな対応テーブル４１１ａの作成は、携帯電話機４００のユーザにより表示部４０３で作成経過を確認しつつ、操作部４０６を通じておこなわれる。例えば、（３．００、  ２．００）という位置座標において、携帯電話機４００にマナーモード５を実行させ、表示部４０３にメッセージ５を表示させたい場合、図１１に示すように、位置の欄を「（３．００、  ２．００）」とし、マナーモードの欄を「マナーモード５」とし、メッセージの欄を「メッセージ５」とする。上記操作により、新たな対応テーブルとして、携帯電話機４００が（．３．００、２．００）という位置座標にあるときには、マナーモード５を実行させ、メッセージ５を表示させる対応テーブルが作成される。
【００６４】
以上のように本実施の形態によれば、携帯電話機４００は、場所に応じて、その場所に適したマナーモードを実行するので、その場所における迷惑行為の発生を防止することができ、また、その場所に適した形で携帯電話機４００の利便性をユーザに利用させることができる。
【００６５】
また、携帯電話機４００は、場所に応じたマナーモードを実行する際に、その場所と実行中のマナーモードに関するメッセージを表示させるので、ユーザは、現在、どのような理由で、どのようなマナーモードが実行されており、どのような場所で通話できるかを知ることが出来る。
【００６６】
さらに、携帯電話機４００のユーザは、モードテーブル４０９ａにおいてモードを選択することにより、ある場所で携帯電話機４００に実行させたい、ある場所に適したマナーモードを、ある場所の状況の変化に応じて変化させることができる。
【００６７】
そしてまた、携帯電話機４００のユーザは、マナーモード登録部４０８ａにより、その場所で携帯電話機４００に実行させたい、その場所に適したマナーモードを新たに作成し、登録することができる。
【００６８】
また、携帯電話機４００のユーザは、メッセージ登録部４０８ｂにより、その場所でユーザに伝えたいメッセージを新たに作成し、登録することができる。
また、本実施の形態では、ある場所において携帯電話機４００に着信のあった場合、携帯電話機４００にパターンテーブル４１０ｂにある着信先への返信用のメッセージが表示され、携帯電話機４００のユーザはそれを操作部４０６のボタン等で送信することが出来るので、着信先に電話をかけたり、電子メールを作成し送信したりする必要がない。
【００６９】
尚、本実施の形態では、移動端末として携帯電話機４００を例示したが、移動端末であればそれに限定されず、ＰＨＳやＰＤＡ等でもよい。
また、携帯電話機４００は、携帯電話機４００のユーザが他の場所から移動し予め対応テーブル４１１ａに登録してある場所に来たときに、携帯電話機４００がその場所に来たことを、バイブレーター部４０４により携帯電話機４００を振動させることや、スピーカ４０２により音を鳴らすことにより携帯電話機４００のユーザに知らせてもよい。
【００７０】
また、本実施の形態では、モードテーブル４０９ａや、パターンテーブル４１０ａ、４１０ｂや、対応テーブル４１１ａを新たに作成する際に、マナーモード登録部４０８ａや、メッセージ登録４０８ｂや、対応テーブル登録部４０８ｃによる登録を例示したが、予めモードテーブル４０９ａや、パターンテーブル４１０ａ、４１０ｂや、対応テーブル４１１ａを記憶しているフレキシブルディスクやＣＤ等の記憶媒体から、マナーモード記憶部４０９や、メッセージ記憶部４１０や、対応テーブル記憶部４１１にモードテーブル４０９ａや、パターンテーブル４１０ａ、４１０ｂや、対応テーブル４１１ａを記憶させることで、マナーモード記憶部４０９や、メッセージ記憶部４１０や、対応テーブル記憶部４１１の中に新たなモードテーブル４０９ａや、パターンテーブル４１０ａ、４１０ｂや、対応テーブル４１１ａを作成してもよい。
【００７１】
そしてまた、本実施の形態では、対応テーブル登録部４０８ｃにより新たな対応テーブル４１１ａを登録する際に、位置座標を指定することを例示したが、携帯電話機４００に地図情報を記憶させることで、場所名を指定することで位置座標を指定してもよい。
【００７２】
【発明の効果】
以上の説明から明らかなように、本発明に係る移動端末システムは、所定の機能を有する移動端末を制御する移動端末制御システムであって、所定の場所に対応付けられたマナーに関するマナー情報を前記所定の場所に向けて送信するマナー情報送信手段と、前記移動端末に具備され、前記マナー情報を取得し、前記移動端末の機能のうち前記マナー情報に応じた機能を前記移動端末に対して実行させるマナーモード実行手段とを備えることを特徴とする。
【００７３】
これによって、移動端末システムは、所定の場所にある移動端末に、その場所に適したマナーモードを実行させるので、その場所における迷惑行為の発生を防止することができ、また、その場所に適した態様で移動端末の利便性を活かすことができる。
【００７４】
ここで、本発明は、移動端末移動端末であって、自らの位置に関する位置情報を取得する位置情報取得手段と、前記位置情報に対応付けられたマナーに関する対応マナー情報を記憶する対応マナー情報記憶手段と、前記位置情報取得手段から前記位置情報を取得し、前記位置情報に基づき前記対応マナー情報記憶手段から前記対応マナー情報を取得し、前記対応マナー情報に応じた機能を実行する対応マナー情報実行手段とを備えることを特徴とする移動端末とすることもできる。
【００７５】
これによって、移動端末は、場所に応じてその場所に適したマナーモードを実行するので、その場所における迷惑行為の発生を防止することができ、また、その場所に適した形で移動端末の利便性を活かすことができる。
【図面の簡単な説明】
【図１】本発明の第１の実施の形態における携帯電話システムの使用状況を示すシステム構成図である。
【図２】同システムの構成を示すブロック図である。
【図３】同システムにおけるモードテーブルの内容を示すテーブル図である。
【図４】同システムにおけるメッセージテーブルの内容を示すテーブル図である。
【図５】同システムの動作を示すフロー図である。
【図６】同システムにおける携帯電話機に表示されるメッセージを示す図である。
【図７】本発明の第２の実施の形態における携帯電話機の使用状況を示す概況図である。
【図８】同携帯電話機の構成を示すブロック図である。
【図９】（ａ）は、同携帯電話機において着信のないときのメッセージテーブルの内容を示すテーブル図である。
（ｂ）は、同携帯電話機において着信のあるときのメッセージテーブルの内容を示すテーブル図である。
【図１０】同携帯電話機における対応テーブルの内容を示す図である。
【図１１】同携帯電話機の動作を示すフロー図である。
【図１２】（ｃ）は、同携帯電話機において着信のないときに表示されるメッセージを示す図である。
（ｄ）は、同携帯電話機において着信あるときに表示されるメッセージを示す図である。
（ｅ）は、同携帯電話機において着信先にメッセージを送信した後に表示されるメッセージを示す図である。
【符号の説明】
１００    携帯電話機
１０１    通信部
１０２    スピーカ
１０３    携帯電話機表示部
１０４    バイブレーター部
１０５    マイク
１０６    携帯電話機操作部
１０７    携帯電話機受信部
１０８    携帯電話機制御部
１０９    情報制御装置送信部
１１０    情報制御装置操作部
１１１    情報制御装置表示部
１１２    情報制御装置制御部
１１２ａ  マナーモード登録部
１１２ｂ  メッセージ登録部
１１３    マナーモード記憶部
１１３ａ  モードテーブル
１１４    メッセージ記憶部
１１４ａ  パターンテーブル
１１５    情報送信装置受信部
１１６    情報送信装置送信部
１５０、２５０    情報送信装置
３００    情報制御装置
【図１】
2004172673.tif 000003
【図２】
2004172673.tif 000004
【図３】
2004172673.tif 000005
【図４】
2004172673.tif 000006
【図５】
2004172673.tif 000007
【図６】
2004172673.tif 000008
【図７】
2004172673.tif 000009
【図８】
2004172673.tif 000010
【図９】
2004172673.tif 000011
【図１０】
2004172673.tif 000012
【図１１】
2004172673.tif 000013
【図１２】
2004172673.tif 000014